(57)【要約】【課題】コントラスト比、光の利用効率、輝度均一性、画質のいずれをも悪化させない反射型ＬＣＤ用フロントライトを提供する。【解決手段】上記提供されるフロントライトは、反射型ＬＣＤ２１の上面に接した反射制御層１５と、光源光（好ましくはＰ偏光）を受ける入射面および反射制御層の上面に接した第１の射出面を有し該第１の射出面を通して光を反射制御層へ導く第１の導光体２と、光源光を発生させる光源１と、反射型ＬＣＤ内に配置された第２の導光体４とからなり、第１の導光体の屈折率が反射制御層の屈折率よりも大であり、第２の導光体は、反射制御層から導入された光を透過させつつ、第１の導光体から反射制御層への光の射出角度よりも小さい射出角度で射出させるものである。【選択図】図１
2008026889.tif 000002
【特許請求の範囲】
【請求項１】
反射型ＬＣＤの上面に接した反射制御層と、光源光を受ける入射面および前記反射制御層の上面に接した第１の射出面を有し該第１の射出面を通して光を前記反射制御層へ導く第１の導光体と、前記光源光を発生させる光源と、前記反射型ＬＣＤ内に配置された第２の導光体とからなり、
前記第１の導光体の屈折率が前記反射制御層の屈折率よりも大であり、
前記第２の導光体は、前記反射制御層から導入された光を透過させつつ、前記第１の導光体から前記反射制御層への光の射出角度よりも小さい射出角度で射出させるものであることを特徴とする反射型ＬＣＤ用フロントライト。
【請求項２】
前記第２の導光体が、光を散乱させる性質をもつ導光体すなわち光散乱体からなることを特徴とする請求項１に記載のフロントライト。
【請求項３】
前記第２の導光体が、光を前方に散乱させる性質をもつ導光体すなわち前方散乱体であることを特徴とする請求項１に記載のフロントライト。
【請求項４】
前記第２の導光体が、所定の角度範囲から入射した光のみを前方に散乱させる性質をもつ導光体すなわち異方性散乱体であり、前記第１の導光体からの射出光が前記第２の導光体へ入射する角度範囲の少なくとも一部が、前記所定の角度範囲に含まれることを特徴とする請求項１に記載のフロントライト。
【請求項５】
前記第１の導光体が、前記入射面と、前記第１の射出面と、該第１の射出面に対向する第２の射出面とを含み、かつ、これら二つの射出面の間隔が、該間隔測定部位の前記入射面からの離間とともに狭くなる多面体形状を有することを特徴とする請求項１〜４のいずれかに記載のフロントライト。
【請求項６】
前記第１の導光体の前記入射面から同導光体内へＰ偏光を入射することを特徴とする請求項１〜５のいずれかに記載のフロントライト。
【請求項７】
反射型ＬＣＤの上面に接した反射制御層と、光源光を受ける入射面および前記反射制御層の上面に接した第１の射出面を有し該第１の射出面を通して光を前記反射制御層へ導く第１の導光体と、前記光源光を発生させる光源とからなり、前記第１の導光体が、前記入射面と、前記第１の射出面と、該第１の射出面に対向する第２の射出面とを含み、かつ、これら二つの射出面の間隔が、該間隔測定部位の前記入射面からの離間とともに狭くなる多面体形状を有し、さらに、前記第１の導光体の前記入射面から同導光体内へＰ偏光を入射することを特徴とするフロントライト。
【請求項８】
前記第１の導光体に入射した光の広がり角度の半角が４０°以上であることを特徴とする請求項５〜７のいずれかに記載のフロントライト。
【請求項９】
前記反射制御層の屈折率が１．０〜１．４であることを特徴とする請求項１〜８のいずれかに記載のフロントライト。
【請求項１０】
前記第１の導光体の屈折率が１．４〜１．８であることを特徴とする前項１〜９のいずれかに記載のフロントライト。
【請求項１１】
前記第１の導光体の第１の射出面と第２の射出面とのなす角である楔角が０．２〜３°であることを特徴とする請求項５〜１０のいずれかに記載のフロントライト。
【請求項１２】
反射型ＬＣＤに請求項１〜１１のいずれかに記載のフロントライトを装着してなる反射型表示装置。
【請求項１３】
反射型ＬＣＤに下記(A)〜(E)のいずれかのフロントライトを装着し、かつ同反射型ＬＣＤの反射板の反射面を拡散反射面としてなる反射型表示装置。
記
(A)  前項７に記載のフロントライト
(B)  (A)において、第１の導光体に入射した光の広がり角度の半角が４０°以上であるフロントライト
(C)  (A)または(B)において、反射制御層の屈折率が１．０〜１．４であるフロントライト
(D)  (A)〜(C)のいずれかにおいて、第１の導光体の屈折率が１．４〜１．８であるフロントライト
(E)  (A)〜(D)のいずれかにおいて、第１の導光体の第１の射出面と第２の射出面とのなす角である楔角が０．２〜３°であるフロントライト
【発明の詳細な説明】
【技術分野】
【０００１】
本発明は、反射型ＬＣＤ（反射型液晶表示装置）用フロントライトおよび反射型表示装置に関する。このフロントライトは、周囲光が十分でない場合に反射型ＬＣＤにこれの観測者側の面から光を与えて表示画面を明るくする補助照明手段として使用されるものである。
【背景技術】
【０００２】
従来技術（１）として、例えば図６に示すように構成された反射型ＬＣＤが知られている（特許文献１、非特許文献１）。反射型ＬＣＤ２０は、その下面（観測者側を向いた面の反対側の面）側から順に、ガラス基板９、反射板８、液晶７、カラーフィルタ６、ガラス基板５、偏光板３を積層配置した構造を有する。導光板２Ａの一端部に光源１を配置してなるフロントライトが偏光板３の上面（観測者側を向いた面）に対面配置してある。光源１から導光板２Ａ内に入射した光は、導光板２Ａの上部（観測者側の界面）と下部（反観測者側の界面）で交互に全反射を繰り返すことにより、導光板２Ａ内を伝播する。
【０００３】
従来技術（１）では、導光板２Ａの下部はほぼ単一平面、上部は緩急二斜面分の複数連結面とし、その急斜面分の角度を４０〜４５°程度として、この急斜面分で反射した光が反射型ＬＣＤ２０に対して垂直に近い角度で入射するようにしている。
また、従来技術（２）として、例えば図９に示すように構成されたフロントライトシステムが知られている（特許文献２）。これは、光源１から光を取り込む入射面をもつ楔形の導光体２Ｂと、導光体２Ｂの界面から射出する光を散乱させる異方性散乱板１０とを備え、液晶セル（ガラス基板５，９で挟まれた部分）への入射光を、この液晶セルの表面に対して垂直に近い角度で入射させる。
【０００４】
導光体２Ｂと異方性散乱板１０および反射型ＬＣＤ２０との間に、光学的界面での屈折率差を緩和する充填剤１１が満たされている（屈折率マッチングをとってある）。このため、前方照明装置（フロントライト）と反射型ＬＣＤ２０の間に空気層は存在しない。導光体２Ｂの上部で光を全反射させ、下部では光を全反射させずに異方性散乱板１０へ透過させる構造となっている。
【０００５】
異方性散乱板１０は、入射光をその進行方向側へのみ散乱させる機能を有する前方散乱体であるとともに、所定の角度範囲（例えば１０°〜７０°）から入射した光のみを散乱させ、前記所定の角度範囲外からの入射光を完全に透過する特性を有する。
また、従来技術（３）として、例えば図１２のように構成された反射型表示装置が知られている（特許文献３）。導光板２と反射型ＬＣＤ２０との間には、屈折率が空気の屈折率超かつ導光板２の屈折率未満である低屈折率層（接着層１２）が形成されている。これにより、導光板１下部における全反射を制御し、フロントライトから射出した光を反射型ＬＣＤ２０に対し斜めに入射させることで、フロントライトの反射光により画面のコントラストが低下する現象を回避している。
【０００６】
反射面（反射板８の表面）８Ａは、フロントライトから斜めに入射した光を観測者方向へ反射させる凹凸パターンを形成された第１の領域と、ほぼ垂直に入射した外光を観測者方向へ反射させる凹凸パターンを形成された第２の領域とを備えている。
【特許文献１】特開２０００−１１１９００号公報
【特許文献２】特開平１０−２６８３０８号公報
【特許文献３】特開２００２−２５８２７７
【非特許文献１】Yang Yangbao,et al.：IDW'00FMC5-4(p.391-394)
【発明の開示】
【発明が解決しようとする課題】
【０００７】
しかし、従来技術（１）では、図７に示すように、導光板２Ａの下部および反射型ＬＣＤ２０の上面からの反射光が観察者に視認されることによりコントラスト比が低下する問題がある。
また、従来技術（２）では、上述のように、導光体２Ｂの上部で光を全反射させ、下部では光を全反射させずに異方性散乱板１０へ透過させる構造になっている。この構造では、光源１付近は異方性散乱板１０の前記所定の角度範囲（例えば１０°〜７０°）へ入射する光が多いが、光源１から離れるに従い、この所定の角度範囲へ入射する光が少なくなるため導光体２Ｂは暗くなり、輝度均一性が悪い。
【０００８】
しかも、薄型のフロントライトを実現しようとすると、光源１付近のみが明るく、他の大部分では異方性散乱板１０の前記所定の角度範囲へ入射する光がほとんどなくなるため、導光体２Ｂは暗くなる。
よって、この構造を用いて、輝度均一性の高い薄型フロントライトを実現することは不可能である。
【０００９】
また、従来技術（３）では、反射面８Ａがフロントライトからの光を観測者方向へ反射させる第１の領域と、外光を観測者方向へ反射させる第２の領域とを有するがゆえに、外光反射用の第２の領域に入射したフロントライトからの射出光は観測者方向に反射しない無駄な光となる。同様にフロントライトからの光の反射用の第１の領域に入射した外光は観測者方向に反射せず、利用されない。このため光の利用効率が低下する問題がある。また、反射面に凹凸のパターンを有するがゆえに、画像を表示する際に同一画素内においてリタデーションの面内均一性が悪くなり、画質の劣化を招く問題がある。
【００１０】
本発明は、前記従来技術の問題を解決し、コントラスト比、光の利用効率、輝度均一性、画質のいずれをも悪化させない反射型ＬＣＤ用フロントライトおよび反射型表示装置を提供することを目的とする。
【課題を解決するための手段】
【００１１】
前記目的を達成した本発明は、次のとおりである。
１．反射型ＬＣＤの上面に接した反射制御層と、光源光を受ける入射面および前記反射制御層の上面に接した第１の射出面を有し該第１の射出面を通して光を前記反射制御層へ導く第１の導光体と、前記光源光を発生させる光源と、前記反射型ＬＣＤ内に配置された第２の導光体とからなり、
前記第１の導光体の屈折率が前記反射制御層の屈折率よりも大であり、
前記第２の導光体は、前記反射制御層から導入された光を透過させつつ、前記第１の導光体から前記反射制御層への光の射出角度よりも小さい射出角度で射出させるものであることを特徴とする反射型ＬＣＤ用フロントライト。
【００１２】
ここで、第１または第２の導光体からの光の射出角度とは、その光の射出方向が前記第１の射出面の法線方向となす角度である。
２．前記第２の導光体が、光を散乱させる性質をもつ導光体すなわち光散乱体からなることを特徴とする前項１に記載のフロントライト。
３．前記第２の導光体が、光を前方に散乱させる性質をもつ導光体すなわち前方散乱体であることを特徴とする前項１に記載のフロントライト。
【００１３】
４．前記第２の導光体が、所定の角度範囲から入射した光のみを前方に散乱させる性質をもつ導光体すなわち異方性散乱体であり、前記第１の導光体からの射出光が前記第２の導光体へ入射する角度範囲の少なくとも一部が、前記所定の角度範囲に含まれることを特徴とする前項１に記載のフロントライト。
５．前記第１の導光体が、前記入射面と、前記第１の射出面と、該第１の射出面に対向する第２の射出面とを含み、かつ、これら二つの射出面の間隔が、該間隔測定部位の前記入射面からの離間とともに狭くなる多面体形状を有することを特徴とする前項１〜４のいずれかに記載のフロントライト。
【００１４】
６．前記第１の導光体の前記入射面から同導光体内へＰ偏光を入射することを特徴とする前項１〜５のいずれかに記載のフロントライト。
７．反射型ＬＣＤの上面に接した反射制御層と、光源光を受ける入射面および前記反射制御層の上面に接した第１の射出面を有し該第１の射出面を通して光を前記反射制御層へ導く第１の導光体と、前記光源光を発生させる光源とからなり、前記第１の導光体が、前記入射面と、前記第１の射出面と、該第１の射出面に対向する第２の射出面とを含み、かつ、これら二つの射出面の間隔が、該間隔測定部位の前記入射面からの離間とともに狭くなる多面体形状を有し、さらに、前記第１の導光体の前記入射面から同導光体内へＰ偏光を入射することを特徴とするフロントライト。
【００１５】
８．前記第１の導光体に入射した光の広がり角度の半角が４０°以上であることを特徴とする前項５〜７のいずれかに記載のフロントライト。
９．前記反射制御層の屈折率が１．０〜１．４であることを特徴とする前項１〜８のいずれかに記載のフロントライト。
１０．前記第１の導光体の屈折率が１．４〜１．８であることを特徴とする前項１〜９のいずれかに記載のフロントライト。
【００１６】
１１．前記第１の導光体の第１の射出面と第２の射出面とのなす角である楔角が０．２〜３°であることを特徴とする前項５〜１０のいずれかに記載のフロントライト。
１２．反射型ＬＣＤに前項１〜１１のいずれかに記載のフロントライトを装着してなる反射型表示装置。
１３．反射型ＬＣＤに下記(A)〜(E)のいずれかのフロントライトを装着し、かつ同反射型ＬＣＤの反射板の反射面を拡散反射面としてなる反射型表示装置。
【００１７】
記
(A)  前項７に記載のフロントライト
(B)  (A)において、第１の導光体に入射した光の広がり角度の半角が４０°以上であるフロントライト
(C)  (A)または(B)において、反射制御層の屈折率が１．０〜１．４であるフロントライト
(D)  (A)〜(C)のいずれかにおいて、第１の導光体の屈折率が１．４〜１．８であるフロントライト
(E)  (A)〜(D) のいずれかにおいて、第１の導光体の第１の射出面と第２の射出面とのなす角である楔角が０．２〜３°であるフロントライト
【発明の効果】
【００１８】
本発明によれば、コントラスト比、光の利用効率、輝度均一性、画質のいずれにも悪影響を及ぼさない反射型ＬＣＤ用フロントライトが得られる。このフロントライトを反射型ＬＣＤに装着してなる反射型表示装置は、コントラスト比、光の利用効率、輝度均一性、画質のいずれにも優れたものとなる。
【発明を実施するための最良の形態】
【００１９】
図１は、本発明の１例を示す断面模式図である。この例は、本発明を実施するための最良の形態の１つに相当する。また、この例は、本発明に係る反射型表示装置の例でもある。反射型ＬＣＤ２１の上面には、反射制御層１５が接している。反射制御層１５の上には第１の導光体２が配置されている。第１の導光体２は、光源光を受ける入射面および反射制御層１５の上面に接した第１の射出面を有する。光源１で発生された光源光は入射面から第１の導光体２内に入り、第１の導光体２内を透過して第１の射出面から反射制御層１５へ導かれる。
【００２０】
反射制御層１５は例えば空気層であり、その屈折率は第１の導光体２の屈折率よりも小さい。
第１の導光体２は、前記入射面と、前記第１の射出面と、該第１の射出面に対向する第２の射出面とを含み、かつ、これら二つの射出面の間隔が、該間隔測定部位の前記入射面からの離間とともに狭くなる多面体形状を有するものが最適である。この最適なものの１例として、図１では、楔の根元側の端面を前記入射面とした楔形導光板を示している。これの下面が第１の射出面に該当し、上面が第２の射出面に該当する。
【００２１】
第１の導光板の材質には、ガラス（ＢＫ７）、ＰＭＭＡ（polymethylmetacrylate）などを用いうる。反射制御層の材質には、前記空気のほか、水、エチルアルコール、メチルアルコールなどを用いうる。光源としては、ＬＥＤ（Light Emitting Diode）、ＣＣＦＬ（Cold Cathode Fluorescent Lamp）などを用いうる。
本発明のフロントライトは、さらなる構成要素として、反射型ＬＣＤ２１の内部に、第２の導光体４を有する。第２の導光体４は、反射制御層１５から導入された光を透過させつつ、第１の導光体２から反射制御層１５への光の射出角度よりも小さい射出角度で射出させる光学特性をもつものである。
【００２２】
第２の導光体４を反射型ＬＣＤ内に配置する位置は、特に限定されないが、図示のように、反射型ＬＣＤ２１内の偏光板３と上側のガラス基板５の間の位置とするのが好ましい。上記のような光学特性をもつ第２の導光体４としては、光を散乱させる性質をもつ導光体すなわち光散乱体が好ましく用いうる。なお、より好ましくは、光を前方に散乱させる性質をもつ導光体すなわち前方散乱体であり、なかでも最も好ましくは、所定の角度範囲から入射した光のみを前方に散乱させる性質をもつ導光体すなわち異方性散乱体を用い、第１の導光体２からの射出光が異方性散乱体からなる第２の導光体４へ入射する角度範囲の少なくとも一部が、当該異方性散乱体の所定の角度範囲に含まれるようにすることである。
【００２３】
なお、前記前方散乱体および前記異方性散乱体は、その前方散乱光量が入射光量の８０％以上であるものが好ましく、より好ましくは９０％以上である。
また、第２の導光体が光散乱体である場合、第２の導光体から射出される光の６０％程度以上が、第１の導光体から反射制御層への光の射出角度よりも小さい射出角度で射出されることが好ましく、より好ましくは８０％程度以上である。
【００２４】
前記異方性散乱体としては、屈折率が互いに異なる層状または線状構造を内包し、特定の入射許容角度領域からの入射光を特定の拡散角度領域に射出させる拡散フィルムが好ましく用いうる。この場合、該拡散フィルムの特定の入射許容角度領域が前記所定の角度範囲に対応する。なお、図６と同一又は相当部材には同じ符号を付し、説明を省略する。
光源１から第１の導光体２内に入射した光は、図中に有向直線（または有向折れ線）で示すような伝播経路に沿い、第１の導光体２の上部および下部において全反射を繰り返すことにより、第１の導光体２の内部を伝播する。
【００２５】
第１の導光体２は例えば楔形状のような多面体形状（前記入射面と、前記第１の射出面と、該第１の射出面に対向する第２の射出面とを含み、かつ、これら二つの射出面の間隔が、該間隔測定部位の前記入射面からの離間とともに狭くなる多面体形状）を有するから、第１の導光体２の内部を伝播する光が該導光体の上部（上界面＝第２の射出面）および下部（下界面＝第１の射出面）に入射するたびに、図２に示すように、第１の導光体２の導光体界面への光の入射角が楔角α分だけ減少する。該導光体界面への入射角φｃが、臨界角θｃよりも小さくなって全反射条件を満たさなくなったとき、第１の導光体２の内部を伝播していた光は第１の導光体２の外へ射出する（φｃ＝θｃの場合は、界面に沿って進む）。すなわち、このフロントライトは、光を第１の導光体２から斜めに射出させ、反射型ＬＣＤ２１へ斜めに入射させる。
【００２６】
これにより、例えば図４に示すように、第１の導光体２の下部および反射型ＬＣＤ２１の上面における反射光は、観測者の視認可能領域を±３０°とすると、この視認可能領域外に射出されるので、コントラスト比の低下を抑制することができる。ここで、導光板２からの射出光の大部分が、射出角度（第１の導光体２の第１の射出面の法線に対する角度で定義される）＝３０°〜９０°の範囲で斜めに射出するのが好ましく、それには、第１の導光体２に用いる楔形導光板の楔角αは、２０°以下とするのが好ましい（ただし、この楔角αの上限値は屈折率によっても変わる）。なお、楔形導光板において、その上面および下面は、必ずしも単一平面（全体的に曲がりがない（曲率がゼロである）面）である必要はなく、射出光の大部分（例えば９０％以上）が前記好ましい射出角度範囲（３０°〜９０°）で射出する限りにおいて、部分的あるいは全体的に曲がりを有する面であっても構わない。
【００２７】
さらに、本例では、第１の導光体２から反射型ＬＣＤ２１へ斜めに入射させた光を、前記拡散フィルムで構成した第２の導光体４により散乱させる。拡散フィルム４は、図３に示すように、所定の角度範囲（例えば０°〜９０°）に入射した光のみを散乱させることにより、液晶７層への垂直入射成分が増加する。また、この所定の角度範囲外に入射した光に対しては何も作用せず透過させるから、不要な散乱光による画質の劣化を招かない。以上より、このフロントライトは、光源から遠い箇所でも明るさの低下は小さく、輝度均一性に優れたものとなる。
【００２８】
また、本発明のフロントライトが適用される通常の反射型ＬＣＤでは、反射板８の反射面が平面状であるから、反射面に凹凸を設ける従来技術（３）に生じるような光の利用効率が低下する問題や、リタデーションの面内均一性悪化により画質が劣化する問題は、全く生じない。
また、本発明のフロントライトにおいては、第１の導光体の入射面から同導光体内へＰ偏光を入射することが好ましい（→前項６の本発明）。通常の無偏光（ランダム偏光）に代えてＰ偏光を入射することで第１の導光体内での反射を低減し、観察者方向への漏れ光を抑制することができる。このことにより、より高いコントラスト比と、より明るい表示を実現することができる。
【００２９】
Ｐ偏光を入射する場合は、前項６の本発明から第２の導光体を省略した形態としてもよい（→前項７の本発明）。かかる形態であっても、従来技術（１）〜（３）に比べ、より高いコントラスト比と、より明るい表示を実現可能である。もっとも、第２の導光体を省略した形態の本発明フロントライトを装着する場合、該装着される反射型ＬＣＤの反射板の反射面は、通常の鏡面反射面に代えて拡散反射面（表面を粗くした反射面）とすることが、画面の正面からの視認性を高める観点からすれば好ましい（→前項１３の本発明）。
【００３０】
このＰ偏光入射は、例えば図１３（ａ）に示すように、通常の無偏光３４を発する光源１に代えてＰ偏光３５を発する光源３１を用いる、あるいは例えば図１３（ｂ）に示すように、第１の導光体２の入射面の前に偏光板３０を配置して、光源１からの無偏光３４中のＰ偏光のみ透過させる、などの手段により実現しうる。なお、図１３において２１は入射面である。
【００３１】
また、本発明では、第１の導光体へ無偏光、Ｐ偏光のいずれを入射する場合でも、第１の導光体に入射した光の広がり角度（図１４（ａ）の２Ψ）を大きくすることにより、反射型ディスプレイの明るさの均一性を向上することができる。好ましくは、広がり角度２Ψの半角Ψを４０°以上とする。２Ψを大きくするための手段としては、図１４（ｂ）に示すように入射面２１の形状をフラットではなく荒らした構造（凹凸構造）とする、あるいは図１４（ｃ）に示すように入射面２１の形状を、微小なレンズなどの微小光学系が配列した構造とする、といった手段が挙げられる。
【００３２】
また、本発明では、第１の導光体へ無偏光、Ｐ偏光のいずれを入射する場合でも、第２の導光体４への入射角（第２の導光体の法線方向と光の進行方向とのなす角）が小さいほど明るい表示を実現することができる。このためには、中間層（反射制御層１５）の屈折率は小さいほうが好ましく、具体的には１．０〜１．４であることが好ましい。
また、本発明では、第１の導光体へ無偏光、Ｐ偏光のいずれを入射する場合でも、明るい表示を得るためには、第１の導光体の屈折率は高いほうがよい。しかし、第１の導光体の屈折率が高いと該導光体の入射面から該導光体内に入射する光の角度（前記入射面の法線に対する角度）が小さくなることから、明るさの均一性が低下する。つまり、明るさとその均一性はトレードオフの関係になる。従って、明るさと均一性の兼ね合いを考えて第１の導光体の屈折率を決める必要があり、検討の結果、屈折率は１．４から１．８までの間が望ましいことが明らかとなった。
【００３３】
また、第１の導光体が前項５に記載の多面体形状（前記入射面と、前記第１の射出面と、該第１の射出面に対向する第２の射出面とを含み、かつ、これら二つの射出面の間隔が、該間隔測定部位の前記入射面からの離間とともに狭くなる多面体形状）すなわち楔形状を有する場合、明るい表示を得るためには、その楔形状の第１の導光体（楔形導光板）の楔角（図２のα）は大きいほうがよい。しかし、楔角が大きくなると導光板厚（楔形導光板の板厚）が大きくなる。それゆえ明るさと導光板厚の兼ね合いを考えて楔角を決める必要があり、発明者らの検討によると、楔角αは０．２°から３°までの間が望ましい。
【実施例】
【００３４】
図６に示したフロントライト（光源１および導光板２Ａからなる）を比較例とし、図１に示したフロントライト（光源１、第１の導光体としての前記楔形導光板２、反射制御層１５、第２の導光体としての前記異方性散乱体４からなる）を本発明例(1)として、これらについて、autronic社のコノスコープを用いて、導光板（楔形導光板２または導光板２Ａ）下部および反射型ＬＣＤの上面における反射光の輝度を測定した。
【００３５】
導光板２Ａの材質はＰＭＭＡ、楔形導光板２の材質はガラス（ＢＫ７）で、屈折率は共に１．５程度とした。楔形導光板２の断面形状寸法は、最厚端部の厚み＝１ｍｍ、最厚端から最薄端までの長さ＝３．８ｍｍ、楔角α＝１．５°、上下両面とも単一平面（ただし製作誤差範囲内の曲がりを含む）、とした。光源１には、ＬＥＤを用いた。このＬＥＤは無偏光を発する。異方性散乱体４には、前記拡散フィルム（図３における所定の角度範囲を０°〜９０°に設定、厚み＝０．４ｍｍ）を用いた。反射制御層１５には、空気層（屈折率＝１）を用いた。
【００３６】
比較例の測定結果を図８に、本発明例(1)の測定結果を図５に、それぞれ示す。なお、コノスコープによる輝度測定は、図１０（ａ）のような、極角θと方位角φで表される球面座標系内の多数の点について行われ、その輝度データは図１０（ｂ）のような同心円の半径をθ軸、円周をφ軸とする平面座標系内にプロットされるが、それらの代表として、図５、図８では、図１１に示す平面Ｓを輝度測定領域として該平面Ｓ内に楔形導光板２、導光板２Ａのそれぞれから射出した光の輝度分布（方位角φ一定の場合の極角θ方向の輝度分布）を示した。
【００３７】
図８では極角０°付近に輝度のピークが現れ、導光板下部および反射型ＬＣＤの上面における反射光が観察者の視認可能領域の中心部に入るのに対し、図５では極角−８０°〜−６０°の範囲に光が射出されており、導光板下部および反射型ＬＣＤの上面における反射光が観察者の視認可能領域から外れていることが明白である。すなわち、本発明によればコントラスト比の低下が抑制されることがわかる。
【００３８】
また、本発明例(2)として、本発明例(1)において、例えば図１３（ｂ）に示したように光源１と楔形導光板２の間に偏光板３０を配置し、入射面２１からＰ偏光を入射するようにしたフロントライトについても、本発明例(1)と同様の測定を行った。その結果、Ｐ偏光入射を行った本発明例(2)における極角０°付近の輝度は、無偏光入射を行った本発明例(1)の場合を１００とした相対値で８０を示し、Ｐ偏光入射によるコントラスト比のさらなる向上効果が確認された。
【図面の簡単な説明】
【００３９】
【図１】本発明の１例を示す断面模式図である。
【図２】第１の導光体外への光射出条件の説明図である。
【図３】第２の導光体の散乱範囲を示す断面模式図である。
【図４】本発明の作用効果の説明図である。
【図５】本発明における第１の導光体（例：楔形導光板）下部および反射型ＬＣＢ上面での反射光測定結果を示すグラフである。
【図６】従来技術（１）の構成を示す断面模式図である。
【図７】従来技術（１）の問題点を示す断面模式図である。
【図８】従来技術（１）における導光板下部および反射型ＬＣＤ上面での反射光測定結果を示すグラフである。
【図９】従来技術（２）の構成を示す断面模式図である。
【図１０】輝度測定に用いる座標系の説明図である。
【図１１】実施例における輝度測定領域を示す模式図である。
【図１２】従来技術（３）の構成を示す断面模式図である。
【図１３】第１の導光体の入射面からＰ偏光を入射する実施形態の例を示す平面模式図である。
【図１４】第１の導光体に入射した光の広がり角度の定義（ａ）、および該広がり角度を大きくする手段（ｂ）、（ｃ）を示す平面模式図である。
【符号の説明】
【００４０】
１  光源
２  第１の導光体（例：楔形導光板）
２Ａ  導光板（上部：緩急二斜面分の複数連結面、下部：ほぼ単一平面）
２Ｂ  導光体（楔形）
２１  入射面
３  偏光板
４  第２の導光体（例：異方性散乱体）
５  ガラス基板
６  カラーフィルタ
７  液晶
８  反射板
８Ａ  反射面
９  ガラス基板
１０  異方性散乱板
１１  充填剤
１２  接着層
１５  反射制御層（例：空気層）
２０  反射型ＬＣＤ
２１  反射型ＬＣＤ（内部に第２の導光体を配置したもの）
３０  偏光板
３１  Ｐ偏光を発する光源
３４  無偏光
３５  Ｐ偏光
【図１】
2008026889.tif 000003
【図２】
2008026889.tif 000004
【図３】
2008026889.tif 000005
【図４】
2008026889.tif 000006
【図５】
2008026889.tif 000007
【図６】
2008026889.tif 000008
【図７】
2008026889.tif 000009
【図８】
2008026889.tif 000010
【図９】
2008026889.tif 000011
【図１０】
2008026889.tif 000012
【図１１】
2008026889.tif 000013
【図１２】
2008026889.tif 000014
【図１３】
2008026889.tif 000015
【図１４】
2008026889.tif 000016